(57)【要約】      （修正有）【課題】コントロールボックス等の箱体部材の内部に於いて、簡素な構成で回路基板を固定することができる基板固定構造およびそれを備えた冷蔵庫を提供する。【解決手段】基板固定構造４０は、冷蔵庫に収納されるコントロールボックス２０の内部で回路基板３４を固定する。具体的には、回路基板３４は、第１主面３４Ｅと、第２主面３４Ｆと、第１方向に向かって伸びると共に相対向する第１側辺３４Ａおよび第２側辺３４Ｂと、第２方向に向かって伸びると共に相対向する第３側辺３４Ｃおよび第４側辺３４Ｄと、を有している。第１移動規制部である切欠当接部４１が、回路基板３４の第１側辺３４Ａに当接することで、回路基板３４の第１方向に沿う移動が規制される。更に、第２移動規制部である挟持部４２が、回路基板３４の第２側辺３４Ｂに当接することで、回路基板３４の第２方向に沿う移動が規制される。【選択図】図４
2019027633.tif 000002
【特許請求の範囲】
【請求項１】
冷蔵庫に収納される箱体部材の内部で、導電パターンが形成された回路基板を固定する基板固定構造であり、
前記回路基板は、前記箱体部材の外側に面する第１主面と、前記第１主面に対向する第２主面と、前記箱体部材の内面に沿う第１方向に向かって伸びると共に相対向する第１側辺および第２側辺と、前記第１方向に直交する第２方向に向かって伸びると共に相対向する第３側辺および第４側辺と、を有し、
前記箱体部材の内面から延出する第１移動規制部が、前記回路基板の前記第１側辺に当接することで、前記回路基板の前記第１方向に沿う移動が規制され、
前記箱体部材の内面から延出する第２移動規制部が、前記回路基板の前記第２側辺に当接することで、前記回路基板の前記第２方向に沿う移動が規制されることを特徴とする基板固定構造。
【請求項２】
前記回路基板の前記第１主面には、ユーザにより回転操作される電子部品が固着されることを特徴とする請求項１に記載の基板固定構造。
【請求項３】
前記第１移動規制部は、前記回路基板の前記第１側辺を部分的に切り欠いた切欠部に当接する切欠当接部であることを特徴とする請求項２に記載の基板固定構造。
【請求項４】
前記第２移動規制部は、前記回路基板の前記第１側辺および前記第２側辺を挟持する挟持部であり、
前記第２移動規制部は、前記第１移動規制部の両側に配置されることを特徴とする請求項２または請求項３に記載の基板固定構造。
【請求項５】
前記回路基板の前記第１主面には、発光素子が固着され、
前記回路基板近傍の前記箱体部材は、前記発光素子から発光される光を透過させる透光部から成ることを特徴とする請求項１に記載の基板固定構造。
【請求項６】
前記第１移動規制部は、前記回路基板の前記第１側辺が挿入される挿入部であることを特徴とする請求項５に記載の基板固定構造。
【請求項７】
前記挿入部は、前記回路基板の前記第１側辺の両端部付近に形成され、
前記第２移動規制部は、前記挿入部に挟まれる位置に形成され、前記回路基板の前記第２主面に当接する当接面と、前記第２側辺を挟持する挟持部位、を有することを特徴とする請求項６に記載の基板固定構造。
【請求項８】
前記第２移動規制部は、前記発光素子から発光される光が前記冷蔵庫の貯蔵室内の中心側を向くように、前記回路基板を傾斜させることを特徴とする請求項５から請求項７の何れかに記載の基板固定構造。
【請求項９】
前記透光部には、前記回路基板の前記第１側辺に沿って溝部が形成されていることを特徴とする請求項５から請求項８の何れかに記載の基板固定構造。
【請求項１０】
請求項１から請求項９の何れかに記載の基板固定構造を備えることを特徴とする冷蔵庫。
【発明の詳細な説明】
【技術分野】
【０００１】
本発明は、例えば冷蔵庫に内蔵される箱体部材の内部で回路基板を固定する基板固定構造およびそれを備えた冷蔵庫に関する。
【背景技術】
【０００２】
一般的な冷蔵庫は、断熱箱体の内部に冷凍室や冷蔵室などの複数の貯蔵室を有し、冷凍サイクルの冷却器で冷却した冷気を各貯蔵室に送風することで、各貯蔵室の庫内温度が所定の温度帯域となるように冷却を行っている。
【０００３】
また、冷蔵庫の貯蔵室内には、ユーザが庫内温度を調整するためのコントロールボックスが配置される場合がある。このようなコントロールボックスを備えた冷蔵庫は、例えば特許文献１に記載されている。
【０００４】
また、ボリュームつまみをユーザが回転させることで冷蔵庫の庫内温度を調整するコントロールボックスも存在する。このようなコントロールボックスでは、ビスなどの締結手段を用いてコントロールボックスの内部に回路基板が固定されている。また、つまみと同期して回転するボリューム素子が回路基板に固着されている。そして、ユーザが回転摘まみを介してボリュームを回転させることで、例えば、貯蔵庫に送風される冷気の量を調整し、貯蔵庫の庫内温度を調整することができる。
【先行技術文献】
【特許文献】
【０００５】
【特許文献１】特開２００２−３０５３８３号公報
【発明の概要】
【発明が解決しようとする課題】
【０００６】
しかしながら、上記したコントロールボックスの構造においては、ボリュームが固着された回路基板を、ナットなどを用いた締結手段でコントロールボックスの内壁に固定していた。従って、冷蔵庫の製造工程において、ボリュームをコントロールボックスの内壁に固定する作業が繁雑である課題があった。更には、製造工程においてナットの締め忘れが発生し、回路基板がコントロールボックスに固定されない事態が発生してしまう課題があった。
【０００７】
本発明は、上記の事情に鑑みてなされたものであり、その目的とするところは、コントロールボックス等の箱体部材の内部に於いて、簡素な構成で回路基板を確実に固定することができる基板固定構造およびそれを備えた冷蔵庫を提供することにある。
【課題を解決するための手段】
【０００８】
本発明は、冷蔵庫に収納される箱体部材の内部で、導電パターンが形成された回路基板を固定する基板固定構造であり、前記回路基板は、前記箱体部材の外側に面する第１主面と、前記第１主面に対向する第２主面と、前記箱体部材の内面に沿う第１方向に向かって伸びると共に相対向する第１側辺および第２側辺と、前記第１方向に直交する第２方向に向かって伸びると共に相対向する第３側辺および第４側辺と、を有し、前記箱体部材の内面から延出する第１移動規制部が、前記回路基板の前記第１側辺に当接することで、前記回路基板の前記第１方向に沿う移動が規制され、前記箱体部材の内面から延出する第２移動規制部が、前記回路基板の前記第２側辺に当接することで、前記回路基板の前記第２方向に沿う移動が規制されることを特徴とする。
【０００９】
更に本発明の基板固定構造では、前記回路基板の前記第１主面には、ユーザにより回転操作される電子部品が固着されることを特徴とする。
【００１０】
更に本発明の基板固定構造では、前記第１移動規制部は、前記回路基板の前記第１側辺を部分的に切り欠いた切欠部に当接する切欠当接部であることを特徴とする。
【００１１】
更に本発明の基板固定構造では、前記第２移動規制部は、前記回路基板の前記第１側辺および前記第２側辺を挟持する挟持部であり、前記第２移動規制部は、前記第１移動規制部の両側に配置されることを特徴とする。
【００１２】
更に本発明の基板固定構造では、前記回路基板の前記第１主面には、発光素子が固着され、前記回路基板近傍の前記箱体部材は、前記発光素子から発光される光を透過させる透光部から成ることを特徴とする。
【００１３】
更に本発明の基板固定構造では、前記第１移動規制部は、前記回路基板の前記第１側辺が挿入される挿入部であることを特徴とする。
【００１４】
更に本発明の基板固定構造では、前記挿入部は、前記回路基板の前記第１側辺の両端部付近に形成され、前記第２移動規制部は、前記挿入部に挟まれる位置に形成され、前記回路基板の前記第２主面に当接する当接面と、前記第２側辺を挟持する挟持部位、を有することを特徴とする。
【００１５】
更に本発明の基板固定構造では、前記第２移動規制部は、前記発光素子から発光される光が前記冷蔵庫の貯蔵室内の中心側を向くように、前記回路基板を傾斜させることを特徴とする。
【００１６】
更に本発明の基板固定構造では、前記透光部には、前記回路基板の前記第１側辺に沿って溝部が形成されていることを特徴とする。
【００１７】
本発明の冷蔵庫は、上記した基板固定構造を備えることを特徴とする。
【発明の効果】
【００１８】
本発明は、冷蔵庫に収納される箱体部材の内部で、導電パターンが形成された回路基板を固定する基板固定構造であり、前記回路基板は、前記箱体部材の外側に面する第１主面と、前記第１主面に対向する第２主面と、前記箱体部材の内面に沿う第１方向に向かって伸びると共に相対向する第１側辺および第２側辺と、前記第１方向に直交する第２方向に向かって伸びると共に相対向する第３側辺および第４側辺と、を有し、前記箱体部材の内面から延出する第１移動規制部が、前記回路基板の前記第１側辺に当接することで、前記回路基板の前記第１方向に沿う移動が規制され、前記箱体部材の内面から延出する第２移動規制部が、前記回路基板の前記第２側辺に当接することで、前記回路基板の前記第２方向に沿う移動が規制されることを特徴とする。従って、回路基板を箱体部材の内部に固定するに際して、ナットなどの締結手段を用いることなく、箱体部材の内部に形成した第１移動規制部および第２移動規制部で回路基板を固定することから、ナットが緩むことによる回路基板のずれを防止することができる。更に、製造工程にてナットを締結する工程を不要にし、第１移動規制部および第２移動規制部に回路基板を係止する簡易な構成で回路基板を固定できることから、回路基板を簡易に固定することが出来る。
【００１９】
更に本発明の基板固定構造では、前記回路基板の前記第１主面には、ユーザにより回転操作される電子部品が固着されることを特徴とする。従って、ユーザにより回転操作されることで、回路基板には回転モーメントが作用しても、回路基板は第１移動規制部および第２移動規制部により移動が規制されているので、操作時に於ける回路基板の回転が防止されている。
【００２０】
更に本発明の基板固定構造では、前記第１移動規制部は、前記回路基板の前記第１側辺を部分的に切り欠いた切欠部に当接する切欠当接部であることを特徴とする。従って、回路基板の切欠部に切欠当接部を当接させる簡易な構成で、回路基板を第１方向に対して固定することができる。
【００２１】
更に本発明の基板固定構造では、前記第２移動規制部は、前記回路基板の前記第１側辺および前記第２側辺を挟持する挟持部であり、前記第２移動規制部は、前記第１移動規制部の両側に配置されることを特徴とする。従って、挟持部である第２移動規制部により回路基板の第１側辺および第２側辺を挟持することで、回路基板の第２方向に対する移動を規制することができる。更に、第１移動規制部を挟む位置に第２移動規制部を配置することで、回路基板をより安定して箱体部材に固定することができる。
【００２２】
更に本発明の基板固定構造では、前記回路基板の前記第１主面には、発光素子が固着され、前記回路基板近傍の前記箱体部材は、前記発光素子から発光される光を透過させる透光部から成ることを特徴とする。従って、第１移動規制部および第２移動規制部より安定した状態で固定された回路基板に固着された発光素子により、冷蔵庫の貯蔵室を安定的に明るくすることができる。
【００２３】
更に本発明の基板固定構造では、前記第１移動規制部は、前記回路基板の前記第１側辺が挿入される挿入部であることを特徴とする。従って、挿入部である第１移動規制部に回路基板を挿入することで、回路基板を第１方向に対して固定することができる。
【００２４】
更に本発明の基板固定構造では、前記挿入部は、前記回路基板の前記第１側辺の両端部付近に形成され、前記第２移動規制部は、前記挿入部に挟まれる位置に形成され、前記回路基板の前記第２主面に当接する当接面と、前記第２側辺を挟持する挟持部位、を有することを特徴とする。従って、第２移動規制部が、回路基板の第２主面に当接して第２側辺を挟持することで、回路基板を第２方向に対して強固に固定することができ、更に、回路基板の角度を所定の角度に保つことができる。
【００２５】
更に本発明の基板固定構造では、前記第２移動規制部は、前記発光素子から発光される光が前記冷蔵庫の貯蔵室内の中心側を向くように、前記回路基板を傾斜させることを特徴とする。従って、第２移動規制部で回路基板を傾斜させることで、発光素子から発光される光が冷蔵庫の貯蔵室内中央に向かって進行し、貯蔵室を明るく照らし出すことができる。
【００２６】
更に本発明の基板固定構造では、前記透光部には、前記回路基板の前記第１側辺に沿って溝部が形成されていることを特徴とする。従って、例えばＬＥＤ素子である発光素子から発光された光を、溝部が形成された透光部を透過させることで、貯蔵室の内部に於いて広範囲を照らし出すことができる。
【００２７】
本発明の冷蔵庫は、上記した基板固定構造を備えることを特徴とする。従って、冷蔵庫に配設される箱体部材の内部で、回路基板を簡素な構成にて所定箇所に固定することができる。
【図面の簡単な説明】
【００２８】
【図１】本発明の実施形態に係る冷蔵庫の正面外観図である。
【図２】本発明の実施形態に係る冷蔵庫を示す図であり、（Ａ）はコントロールボックスおよびその周辺部を示す正面図であり、（Ｂ）はコントロールボックスおよびその周辺部を示す側面図である。
【図３】本発明の実施形態に係る基板固定構造およびそれを備えた冷蔵庫を示す図であり、（Ａ）はコントロールボックスを示す斜視図であり、（Ｂ）は他の視点からコントロールボックスを見た場合の斜視図である。
【図４】本発明の実施形態に係る基板固定構造およびそれを備えた冷蔵庫を示す図であり、（Ａ）は回転する電子部品が固着された回路基板を示す斜視図であり、（Ｂ）は回路基板を固定する基板固定構造を示す拡大斜視図であり、（Ｃ）は基板固定構造と回路基板を示す拡大斜視図である。
【図５】本発明の実施形態に係る基板固定構造およびそれを備えた冷蔵庫を示す図であり、（Ａ）は基板固定構造を上方から見た図であり、（Ｂ）は基板固定構造を前方から見た図であり、（Ｃ）は基板固定構造を右方から見た図であり、（Ｄ）は基板固定構造を後方から見た図であり、（Ｅ）は（Ｃ）のＥ−Ｅ線に於ける断面図であり、（Ｆ）は基板固定構造を下方から見た図であり、（Ｇ）は（Ｃ）のＧ−Ｇ線に於ける断面図であり、（Ｈ）は回路基板を示す斜視図であり、（Ｉ）は第２挟持部位を拡大して示す断面図であり、（Ｊ）は第１挟持部位を拡大して示す断面図である。
【図６】本発明の実施形態に係る基板固定構造およびそれを備えた冷蔵庫を示す図であり、発光素子が固着された回路基板を示す斜視図である。
【図７】本発明の実施形態に係る基板固定構造およびそれを備えた冷蔵庫を示す図であり、（Ａ）は発光素子が固着された基板固定構造を示す拡大斜視図であり、（Ｂ）は基板固定構造と回路基板を示す拡大斜視図であり、（Ｃ）は基板固定構造を他の視点から見た斜視図である。
【図８】本発明の実施形態に係る基板固定構造およびそれを備えた冷蔵庫を示す図であり、（Ａ）は固定される回路基板を示す斜視図であり、（Ｂ）は基板固定構造を上方から見た図であり、（Ｃ）は基板固定構造のＢ−Ｂ断面における断面図であり、（Ｄ）は基板固定構造を前方から見た図であり、（Ｅ）は基板固定構造を右方から見た図であり、（Ｆ）は基板固定構造を後方から見た図であり、（Ｇ）は挟持部位を拡大して示す図であり、（Ｈ）は基板固定構造を下方から見た図であり、（Ｉ）は挿入部を拡大して示す図である。
【発明を実施するための形態】
【００２９】
以下、本発明の実施形態に係る冷蔵庫１０を図面に基づき詳細に説明する。以下の説明では、上下前後左右の各方向を適宜用いるが、左右とは冷蔵庫１０を前方から見た場合の左右を示す。
【００３０】
図１は、本発明の実施形態に係る冷蔵庫１０の概略構造を示す側面断面図である。図１に示すように、冷蔵庫１０は、本体としての断熱箱体１１を備え、この断熱箱体１１の内部に食品等を貯蔵する貯蔵室が複数形成されている。この貯蔵室として、具体的には、上段から、冷凍室１７および冷蔵室１８が形成されている。
【００３１】
冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、冷凍室１７と冷蔵室１８とを区分する断熱仕切壁１９も、同様の断熱構造を採用している。
【００３２】
冷凍室１７および冷蔵室１８の前面開口は、ここでは図示しない断熱扉で開閉可能な状態で閉鎖されている。冷凍室１７および冷蔵室１８を閉鎖する断熱扉としては、例えば、右側の上下端部が回転自在に断熱箱体１１により支持される断熱扉を採用することができる。
【００３３】
また、冷凍室１７および冷蔵室１８の内部には、各室内を上下方向に区分する棚が配設されている。更に、冷蔵室１８の内部に於いて、コントロールボックス２０の左方側には、前後方向にスライド可能な収納容器６０が配設されており、冷蔵室１８の最下部にも前後方向にスライド可能な収納容器６１が配設されている。
【００３４】
更に、冷凍室１７および冷蔵室１８の奥側の内壁には、冷気が送風される送風口、および、冷却後の冷気が帰還する帰還口が形成されている。
【００３５】
更にまた、ここでは図示しないが、冷凍室１７および冷蔵室１８の奥側には、各貯蔵庫に送風される冷気を冷却する冷凍サイクルが内蔵されている。この冷凍サイクルは、圧縮機、放熱器、膨張手段および冷却器を有する蒸気圧縮式のものであり、冷却器で冷気を冷却している。また、冷蔵庫１０は、図示しない制御装置を備えており、この制御装置は、センサ類からの入力値を基に所定の演算処理を実行し、圧縮機等の各構成機器を制御する。更に、後述するように、ユーザがボリュームつまみ２１を回転させると、制御装置は、例えば、冷凍サイクルの圧縮機が運転される頻度を変化させ、これにより各貯蔵庫の室内温度を調整する。
【００３６】
図２を参照して、本実施形態の冷蔵庫１０が備えるコントロールボックス２０について説明する。図２（Ａ）はコントロールボックス２０が配設される部分を拡大して示す冷蔵庫１０の前面図であり、図２（Ｂ）はコントロールボックス２０を内側から見た側面図である。
【００３７】
図２（Ａ）を参照して、コントロールボックス２０は、冷蔵室１８の上方右端部に配設された箱体部材であり、その前面にボリュームつまみ２１および開閉検知装置２２が設けられている。ボリュームつまみ２１は、コントロールボックス２０の筐体に対して回転可能に取り付けられている。ユーザは、ボリュームつまみ２１を一方方向に回転させることで冷蔵室１８の室内温度を上昇させることができ、ボリュームつまみ２１を他方向に回転させることで冷蔵室１８の室内温度を下降させることができる。
【００３８】
開閉検知装置２２は、前後方向に進退可能なスイッチ構造を有している。図示しない断熱扉で冷蔵室１８を閉鎖すると、断熱扉で開閉検知装置２２が押圧される。これにより、開閉検知装置２２は断熱扉が冷蔵室１８を閉鎖したことを検知し、コントロールボックス２０に配置された後述する発光素子２９は発光しない。一方、冷蔵室１８を閉鎖する図示しない断熱扉を開くと、断熱扉で開閉検知装置２２が押圧されず前方に突出する。これにより、開閉検知装置２２は断熱扉が開いた状態であることを検知し、コントロールボックス２０に配置された後述する発光素子２９を発光させ、冷蔵室１８の内部を照らし出す。
【００３９】
図２（Ｂ）を参照して、コントロールボックス２０の側面を壁状に突出させることでレール３１が形成されている。上記した収納容器６０は、レール３１に沿って前後方向に移動する。また、コントロールボックス２０の下端にはスリット２４が形成されており、スリット２４の近傍に温度センサ２３が配置されている。温度センサ２３は冷蔵室１８の室内温度を検知し、図示しない制御装置は、温度センサ２３の出力に基づいて、冷蔵室１８の室内温度が所定の温度帯域となるように、冷凍サイクルの圧縮機を制御する。
【００４０】
図３を参照して、コントロールボックス２０の構成を詳述する。図３（Ａ）はコントロールボックス２０を示す斜視図であり、図３（Ｂ）は他の視点からコントロールボックス２０を見た場合の斜視図である。なおここでは、コントロールボックス２０の内部の構成を図示するために、コントロールボックス２０の下面に取り付けられる透光部３２を図示していない。
【００４１】
図３（Ａ）および図３（Ｂ）を参照して、コントロールボックス２０は、箱体部材３０と、この箱体部材３０に組み込まれた各構成部品から構成されている。コントロールボックス２０は、射出成形されたＰＰ（Ｐｏｌｙｅｐｒｏｐｙｌｅｎｅ）などの合成樹脂から成り、上下前後方向に延びる主面部２６と、主面部２６の周縁部から右方に向かって直角に延在する側面部２７および側面部２８を有する。ボリュームつまみ２１および開閉検知装置２２は、箱体部材３０の前方を向く側面部２７に配設されている。また、箱体部材３０の内部には、導電パターンが形成された回路基板３４および回路基板３５が配置されている。回路基板３４は、箱体部材３０の前方側端部に配置され、ボリュームつまみ２１を介してユーザの回転操作により回転することで抵抗値が変化する可変抵抗（電子部品）が実装されている。回路基板３５は、箱体部材３０の下方側端部に配置され、冷蔵室１８を照らし出す後述する発光素子２９が実装されている。回路基板３４および回路基板３５の詳細は後述する。また、側面部２８を部分的に開口することでスリット２４が形成されている。
【００４２】
図４を参照して、回路基板３４をコントロールボックス２０の箱体部材３０に固定する基板固定構造４０を説明する。図４（Ａ）は電子部品３７が固着された回路基板３４を示す斜視図であり、図４（Ｂ）は回路基板３４を固定する基板固定構造４０を示す拡大斜視図であり、図４（Ｃ）は基板固定構造４０と回路基板３４とを示す拡大斜視図である。
【００４３】
図４（Ａ）を参照して、回路基板３４はガラスエポキシ樹脂等から成る基板であり、回路基板３４の両主面には図示しない導電パターンが形成されている。回路基板３４は略矩形形状を呈しており、左右方向で相対向する第１側辺３４Ａおよび第２側辺３４Ｂ、上下方向で相対向する第３側辺３４Ｃおよび第４側辺３４Ｄを有している。第１側辺３４Ａおよび第２側辺３４Ｂは第１方向に沿って延び、第３側辺３４Ｃおよび第４側辺３４Ｄは第２方向に沿って延びる。また、回路基板３４は、前方を向く第１主面３４Ｅと、後方を向く第２主面３４Ｆを有している。
【００４４】
回路基板３４の前方を向く第１主面３４Ｅには、電子部品３７が固着されている。電子部品３７は上記したボリュームつまみ２１と接続され、その前方部分が回転することで内蔵された可変抵抗器の抵抗値が変化する。使用状況下では、ユーザがボリュームつまみ２１を回転させると、電子部品３７の前方部分もボリュームつまみ２１と共に回転する。
【００４５】
回路基板３４の第１側辺３４Ａを部分的に矩形に切り欠くことで２つの切欠部３６が形成されている。切欠部３６は、回路基板３４を箱体部材３０に組み付けた際に、切欠部３６の上下方向に於ける位置を固定するための部位である。
【００４６】
なお、図４（Ａ）には図示していないが、ハーネスと接続するための端子部が回路基板３４の第１主面３４Ｅに実装されている。
【００４７】
図４（Ｂ）を参照して、上記した構成を有する回路基板３４は、箱体部材３０の内部に於いて側面部２７の近傍に配置されている。回路基板３４の第１主面３４Ｅは側面部２７に面している。また、回路基板３４の第１主面３４Ｅに固着された電子部品３７の端部は、側面部２７の開口から内部に挿入されるボリュームつまみ２１に接続している。
【００４８】
回路基板３４を箱体部材３０の内部に固定する基板固定構造４０を説明する。基板固定構造４０は、箱体部材３０の主面部２６の内面から左方に向かって突出する挟持部４２および切欠当接部４１を有している。切欠当接部４１は回路基板３４を上下方向に固定する第１移動規制部であり、挟持部４２は回路基板３４を左右方向に固定する第２移動規制部である。挟持部４２および切欠当接部４１は、ここでは、それぞれ２個形成されており、上下方向に於いて挟持部４２は切欠当接部４１を挟む位置に配置されている。挟持部４２および切欠当接部４１は、箱体部材３０の他の部位と共にＰＰ等の合成樹脂を射出成形することで一体的に形成されている。
【００４９】
挟持部４２は、図４（Ｃ）に示すように、その中間部に第１挟持部位４３を有し、その端部に第２挟持部位４４を有する。第１挟持部位４３および第２挟持部位４４は、回路基板３４の端部を挟持することが可能な爪形状を呈している。第１挟持部位４３と第２挟持部位４４との離間距離は、回路基板３４の第１側辺３４Ａと第２側辺３４Ｂとが離間する距離に等しい。よって、基板固定構造４０で回路基板３４を固定すると、第１挟持部位４３が回路基板３４の第１側辺３４Ａを挟持し、第２挟持部位４４が回路基板３４の第２側辺３４Ｂを挟持する。また、挟持部４２の後方向側主面は、回路基板３４の第１主面３４Ｅに接する平坦面とされている。挟持部４２は、左右方向および前後方向に対して、回路基板３４を固定する。
【００５０】
ここでは図示していないが、回路基板３４の第２主面３４Ｆには、電子部品３７の実装に用いられる半田が溶着されている。よって、回路基板３４の第２主面３４Ｆには、半田による凹凸形状が形成されている。本実施形態では、挟持部４２の後方向側主面は、半田による凹凸形状が形成されていない回路基板３４の第１主面３４Ｅに当接している。このようにすることで、挟持部４２により更に安定的に回路基板３４を固定することができる。
【００５１】
回路基板３４に実装される電子部品３７は使用状況下にて回転するので、これに伴い回路基板３４には回転モーメントが作用する。本形態では、回路基板３４の長手方向の両端部を挟持部４２で挟持しているので、回路基板３４に回転モーメントが作用したとしても、回路基板３４が回転方向に移動してしまうことを抑止することができる。
【００５２】
切欠当接部４１は、図４（Ｃ）に示すように、主面部２６を突出させた壁状部位の上端を矩形に切り欠いた部位であり、その位置は、図４（Ａ）に示す切欠部３６に対応している。よって、回路基板３４を基板固定構造４０に組み込むと、それぞれの切欠当接部４１は、それぞれの切欠部３６に嵌合する。かかる構成により、上下方向に沿って、回路基板３４は箱体部材３０に対して固定される。
【００５３】
本実施形態では、背景技術で述べたような締結構造を利用することなく、箱体部材３０の一部をその内部に突出させて形成した基板固定構造４０で、回路基板３４の位置を固定している。よって、回路基板３４を基板固定構造４０に嵌め込むことで、回路基板３４を箱体部材３０に固定することができ、締結のための工具や手間が不要になるので、回路基板３４の組み込み工程を簡略化することができる。
【００５４】
図５を参照して、上記した基板固定構造４０を詳述する。この図は基板固定構造４０を詳しく示す図であり、図５（Ａ）は基板固定構造４０を上方から見た図であり、図５（Ｂ）は基板固定構造４０を前方から見た図であり、図５（Ｃ）は基板固定構造４０を右方から見た図であり、図５（Ｄ）は基板固定構造４０を後方から見た図であり、図５（Ｅ）は図５（Ｃ）のＥ−Ｅ線に於ける断面図であり、図５（Ｆ）は基板固定構造４０を下方から見た図であり、図５（Ｇ）は図５（Ｃ）のＧ−Ｇ線に於ける断面図であり、図５（Ｈ）は回路基板３４を示す斜視図であり、図５（Ｉ）は第２挟持部位４４を拡大して示す断面図であり、図５（Ｊ）は第１挟持部位４３を拡大して示す断面図である。
【００５５】
図５（Ａ）および図５（Ｆ）を参照して、上記した回路基板３４を挟持する挟持部４２は、基部４８と、基部４８の左端側に形成された第１挟持部位４３と、基部４８の右端側に形成された第２挟持部位４４と、第２挟持部位４４から更に右方に延びる延伸部５７と、を有している。基部４８は、主面部２６から右方に延びる矩形断面を有する略板状の部材である。第１挟持部位４３は、基部４８から後方向かって鈎形状に突出して右方側が開口する。第２挟持部位４４は、基部４８から後方向かって鈎形状に突出して左方側が開口する。第１挟持部位４３は、図５（Ｈ）に示す回路基板３４の第１側辺３４Ａを挟持する。第２挟持部位４４は、図５（Ｈ）に示す回路基板３４の第２側辺３４Ｂを挟持する。基板固定構造４０は、かかる構成の挟持部４２を、上下方向に離間した箇所に２つ有している。
【００５６】
図５（Ｃ）を参照して、基板固定構造４０は、上方側の挟持部４２と下方側の挟持部４２とをつなぐ板状部４５を有している。板状部４５は、図５（Ｂ）および図５（Ｄ）に示すように、主面部２６から右方に向かって延びている。
【００５７】
図５（Ｂ）および図５（Ｃ）を参照して、板状部４５の前面から前方に向かって延びる２つの前方リブ４６が形成されている。前方リブ４６の後端は前方リブ４６に接続している。前方リブ４６の左端は主面部２６に接続している。図５（Ｃ）および図５（Ｄ）を参照して、板状部４５の後面から後方に向かって延びる２つの後方リブ４７が形成されている。後方リブ４７の前端は主面部２６に接続している。更に、後方リブ４７の左端は主面部２６に接続している。このような前方リブ４６および後方リブ４７を形成することで、前後方向に於ける基板固定構造４０の強度を高めることができ、基板固定構造４０に回路基板３４を組み込んだ際に、基板固定構造４０が前後方向に倒れてしまうことを防止することが出来る。
【００５８】
図５（Ｅ）を参照して、後方リブ４７の上面を矩形状に切り欠くことで切欠部６２が形成されている。切欠部６２の前後方向に於ける幅は、回路基板３４の略同一とされている。図５（Ｃ）に示すように、切欠部６２はそれぞれの後方リブ４７に形成されている。図５（Ｈ）に示す回路基板３４を、基板固定構造４０に組み込むと、回路基板３４の下面に形成された切欠部３６のそれぞれが、基板固定構造４０の各切欠部６２に嵌合する。かかる構成により、上下方向において、回路基板３４が基板固定構造４０に対して位置決めされる。
【００５９】
図５（Ｇ）、図５（Ｉ）および図５（Ｊ）を参照して、上記した第１挟持部位４３および第２挟持部位４４等を詳述する。図５（Ｉ）は第２挟持部位４４を拡大して示し、図５（Ｊ）は第１挟持部位４３を拡大して示している。
【００６０】
図５（Ｇ）を参照して、第１挟持部位４３の後端から主面部２６に向かって、板状の支持部５８が形成されている。支持部５８の左端は主面部２６に接続している。支持部５８を形成することで、第１挟持部位４３を左方から強固に支持することができ、回路基板３４を第１挟持部位４３に嵌め込む際に、第１挟持部位４３が変形や破損してしまうことを防止することが出来る。
【００６１】
図５（Ｉ）を参照して、第２挟持部位４４は、基部４８から後方に向かって鈎状に突出しており、更に左方に向かって開口しており、この開口している部分に回路基板３４の第２側辺３４Ｂが嵌め込まれる。第２挟持部位４４と基部４８との距離Ｌ１０は、回路基板３４の厚みと略同一とされている。第２挟持部位４４の左端面は、左方に向かって前方に傾斜する傾斜面となっている。かかる構成により、回路基板３４を基板固定構造４０に嵌め込む作業が容易となる。
【００６２】
図５（Ｊ）を参照して、第１挟持部位４３は、基部４８から後方に向かって鈎状に突出しており、右方に向かって開口しており、この開口している部分に回路基板３４の第１側辺３４Ａが嵌め込まれる。第１挟持部位４３と基部４８との距離Ｌ１１は、上記した距離Ｌ１０と同様であり、回路基板３４の厚みと略同一とされている。第１挟持部位４３の右端面は、右方に向かって前方に傾斜する傾斜面となっている。かかる構成により、回路基板３４を基板固定構造４０に嵌め込む作業が容易となる。
【００６３】
上記した基板固定構造４０に回路基板３４を固定する際には、先ず、作業者は、回路基板３４の第１側辺３４Ａを、基板固定構造４０の第１挟持部位４３に嵌め込む。この際、図５（Ｈ）に示す回路基板３４の切欠部３６は、図５（Ｃ）および図５（Ｅ）に示す基板固定構造４０の切欠部６２と互いに噛み合う。次に、作業者は、図５（Ｆ）および図５（Ｈ）を参照して、回路基板３４の第２側辺３４Ｂを、基板固定構造４０の第２挟持部位４４に嵌め込む。この際、基板固定構造４０の延伸部５７を作業者が保持することで、この嵌め込みが容易となる。上記作業により、基板固定構造４０に回路基板３４を固定することが出来る。
【００６４】
図６および図７を参照して、発光素子２９が実装された回路基板３５を箱体部材３０の内部に固定する構造を説明する。図６は回路基板３５を示す斜視図である。図７（Ａ）は回路基板３５が配置される部分の箱体部材３０を示す拡大斜視図であり、図７（Ｂ）は基板固定構造５０と回路基板３５とを示す拡大斜視図であり、図７（Ｃ）は固定構造を他の視点から見た斜視図である。
【００６５】
図６を参照して、回路基板３５は、例えば、導電パターンが形成されたガラスエポキシ樹脂等から成る基板であり、貯蔵室内を照らし出す発光素子２９を実装するための基板である。具体的には、回路基板３５は略矩形形状を呈しており、左右方向で相対向する第１側辺３５Ａおよび第２側辺３５Ｂ、前後方向で相対向する第３側辺３５Ｃおよび第４側辺３５Ｄを有している。また、回路基板３５は、下方を向く第１主面３５Ｅと、上方を向く第２主面３５Ｆを有している。
【００６６】
ここでは、一例として、２つの発光素子２９が電子部品として回路基板３５の第１主面３５Ｅに実装されている。発光素子２９としては、例えばＬＥＤが採用される。また、回路基板３５の第２主面３５Ｆには、導線と接続するための接続端子３８が固着されている。発光素子２９は、接続端子３８を経由して、電源と接続される。
【００６７】
図７（Ａ）を参照して、上記した構成を有する回路基板３５は、箱体部材３０の側面部２８に嵌め込まれた透光部３２に面するように配置される。ここでは図示しないが、回路基板３５に固着された発光素子２９は、箱体部材３０に面する。透光部３２は、可視光線に対して透明または半透明な合成樹脂から成り、その内面を前後方向に沿って溝状に窪ませることで溝部３３が形成される。透光部３２の内面には、複数の溝部３３が略等間隔に形成されている。
【００６８】
発光素子２９から発せられた光は、透光部３２を透過し、図１に示す冷蔵室１８を照らし出す。また、透光部３２に溝部３３が形成されていることで、発光素子２９から直進的に発せられた光は、溝部３３で屈折する。このことにより冷蔵室１８は全体的に照らし出されるようになる。
【００６９】
図７（Ａ）、図７（Ｂ）および図７（Ｃ）を参照して、基板固定構造５０で回路基板３５を固定する構成を説明する。
【００７０】
図７（Ｂ）に示すように、回路基板３５は、基板固定構造５０により、箱体部材３０の内部に固定されている。基板固定構造５０は、第１移動規制部として挿入部５１を有し、第２移動規制部として挟持部５２を有している。
【００７１】
挿入部５１は、図７（Ｂ）に示すように、箱体部材３０の主面部２６の内面を右方に向かって穴状に突出させた部位であり、回路基板３５の前後方向端部が挿入される。図７（Ｂ）に示す前方に配置される挿入部５１は、図６に示す回路基板３５の前方下端部に嵌合する形状を呈している。図７（Ｂ）に示す後方に配置される挿入部５１は、図６に示す回路基板３５の後方下端部に嵌合する形状を呈している。
【００７２】
挟持部５２は、挿入部５１どうしの間に配置されており、箱体部材３０の主面部２６の内面を壁状に突出させた部位である。図７（Ｂ）および図７（Ｃ）に示すように、挟持部５２の中間部は平坦な基部５３が形成され、挟持部５２の右方側の端部には爪状の挟持部位５４が形成されている。更に、基部５３から板状に上方に向かって伸び、且つ、主面部２６と連続する支持部５５が形成されている。支持部５５が基部５３の後方に形成されていることで、挟持部５２は所定の角度で傾斜するようになる。
【００７３】
また、基板固定構造５０は、下方から回路基板３５の第１主面３５Ｅに当接する当接部５６を有している。当接部５６は、前後方向に於いて、挟持部５２と挿入部５１との間に配置されている。また、当接部５６は、上下方向に於いて、挟持部５２および挿入部５１よりも下方に配置されている。後方から当接部５６を見た場合、当接部５６は略直角三角形形状を呈している。当接部５６の傾斜面が、回路基板３５の第１主面３５Ｅに当接する。
【００７４】
図７（Ｂ）に示すように、回路基板３５は、その第１側辺３５Ａ側の両端部が挿入部５１に挿入されることで、前後方向に於ける位置が固定されている。そして、回路基板３５は、その第２側辺３５Ｂ側の中央部の端部が挟持部５２の挟持部位５４に挟持されることで、左右方向の位置が固定されている。かかる構成の基板固定構造５０により、箱体部材３０の内部における回路基板３５の位置が正確に固定される。
【００７５】
図７（Ａ）を参照して、挟持部５２を後方から見た場合、挟持部５２は、その先端部が主面部２６に対して下方に向かって右方に傾斜する傾斜形状を呈している。このようにすることで、挟持部５２により固定される回路基板３５を、下方に向かって右方に傾斜するように固定することができる。よって、回路基板３５に実装された発光素子２９から発せられる光を、図１を参照して、冷蔵室１８の中心に向かって進行させ、冷蔵室１８を全体的に照らし出すことができる。
【００７６】
上記したように、挟持部５２は、主面部２６に対して傾斜する部位であるため、背景技術のようにビスなどの締結手段で回路基板３５を挟持部５２に締結することは容易ではない。本実施形態では、箱体部材３０の一部である基板固定構造５０に、回路基板３５を挿入させ且つ挟持させることで、箱体部材３０を所定角度に傾斜した状態で容易に固定することができる。更に、挟持部５２は、柔軟性に優れるＰＰから成るため、回路基板３５を強固に固定することができる。
【００７７】
また、挟持部５２の基部５３の下方を向く面は平坦に形成され、基部５３は回路基板３５の第２主面３５Ｆに当接している。一方、回路基板３５は、その第１主面３５Ｅに発光素子２９が固着され、その第２主面３５Ｆには発光素子２９は固着されていない。基部５３は、発光素子２９が固着されない回路基板３５の第２主面３５Ｆに当接している。このようにすることで、基部５３が発光素子２９の発光や配置を阻害してしまうことを防止することができる。
【００７８】
図８を参照して、上記した基板固定構造５０の構成等を詳述する。図８（Ａ）は固定される回路基板３５を示す斜視図であり、図８（Ｂ）は基板固定構造５０を上方から見た図であり、図８（Ｃ）は基板固定構造５０のＢ−Ｂ断面における断面図であり、図８（Ｄ）は基板固定構造５０を前方から見た図であり、図８（Ｅ）は基板固定構造５０を右方から見た図であり、図８（Ｆ）は基板固定構造５０を後方から見た図であり、図８（Ｇ）は挟持部位５４を拡大して示す図であり、図８（Ｈ）は基板固定構造５０を下方から見た図であり、図８（Ｉ）は挿入部５１を拡大して示す図である。
【００７９】
図８（Ｂ）、図８（Ｅ）、図８（Ｄ）等を参照して、基板固定構造５０は、回路基板３５の第２側辺３５Ｂを挟持する挟持部４９と、回路基板３５の第１側辺３５Ａが挿入される挿入部５１と、を有している。挟持部４９は、主面部２６から右方に向かって延びる板状の基部５３と、基部５３の右端側に形成された挟持部位５４と、基部５３の右端部を形成る延伸部６３と、を有している。
【００８０】
図８（Ｄ）等を参照して、基部５３の下方側の面は回路基板３５の第２主面３５Ｆに接する平坦面である。また、基部５３は、回路基板３５に実装された発光素子２９から発せられる光を、貯蔵室内の中央側に向かって射出させるために、右方に向かって下方に傾斜するように延伸している。
【００８１】
図８（Ｄ）等を参照して、挟持部位５４は、基部５３の右端側から下方に向かって鈎状に突出しており、左方に向かって開口している。図８（Ｂ）に示すように、前後方向に於いて、挟持部位５４は基部５３の中央部付近に形成されている。また、図８（Ｇ）を参照して、挟持部位５４の先端と基部５３が離間する距離Ｌ２０は、回路基板３５の厚みと略同一とされている。
【００８２】
図８（Ｅ）を参照して、前後方向に於ける基板固定構造５０の両端部には挿入部５１が形成されている。図８（Ｄ）および図８（Ｆ）に示すように、挿入部５１は主面部２６から右方側に突出するように形成されている。また、挿入部５１の内部に於いて、主面部２６を右方に向かって突出することで、挿入部５１よりも低い当接部６４が形成されている。挿入部５１に回路基板３５を挿入する際に、回路基板３５の第１側辺３５Ａに当接部６４が当接することで、回路基板３５の左右方向に於ける位置を規定することが出来る。
【００８３】
図８（Ｉ）を参照して、挿入部５１は、前方の側辺が欠損した不完全矩形を呈している。また、上下方向に於ける挿入部５１の内側空間の幅Ｌ２１は、回路基板３５の幅と略同一とされている。また、図８（Ｅ）に示す前方側の挿入部５１は、図８（Ｉ）に示す挿入部５１と線対称な形状を呈している。
【００８４】
図８（Ｂ）および図８（Ｄ）を参照して、前後方向に於ける基部５３の上面中央を上方に突出させることで、リブ状の支持部５５を形成している。支持部５５の下端部分は基部５３に連続し、支持部５５の左端部分は主面部２６に連続している。支持部５５を形成することで基部５３を補強することができ、挟持部４９で回路基板３５をより強固に挟持できる。
【００８５】
図８（Ｂ）および図８（Ｄ）を参照して、挿入部５１の下方部分を下方に向かってリブ状に突出させることで当接部５６が形成されている。当接部５６は、各挿入部５１に対応して２つ形成されている。図８（Ｄ）に示すように、当接部５６の上方側面は、挟持部４９の基部５３と平行に成るように、傾斜している。当接部５６の上方側面と、基部５３の下方側面とが離間する距離は、回路基板３５の厚みと略同一とされている。回路基板３５を基板固定構造５０で固定すると、回路基板３５の第１主面３５Ｅが当接部５６の上方側辺に接し、回路基板３５の第２主面３５Ｆが基部５３の下方側面に接する。即ち、当接部５６と基部５３とで回路基板３５は挟み込まれて固定される。
【００８６】
上記した構成を有する基板固定構造５０に回路基板３５を組み込む際には、先ず、作業員は、回路基板３５の第１側辺３５Ａを、基板固定構造５０の挿入部５１に挿入する。図８（Ｅ）を参照して、前後方向に於いて、挿入部５１の内壁同士が離間する距離は、基板固定構造５０の前後方向の幅と略同一である。よって、回路基板３５を挿入部５１に挿入することで、回路基板３５の前後方向に於ける位置を固定することができる。次に、作業員は、図８（Ｄ）を参照して、回路基板３５の第２側辺３５Ｂを、挟持部４９の挟持部位５４に嵌め込む。このようにすることで、回路基板３５の左右方向に於ける位置が固定される。この嵌め込みを行う際、作業員が延伸部６３を上方から押圧することで、回路基板３５の嵌め込みが容易になる。
【００８７】
本発明は、上記実施形態に限定されるものではなく、その他、本発明の要旨を逸脱しない範囲で、種々の変更実施が可能である。
【符号の説明】
【００８８】
１０   冷蔵庫
１１   断熱箱体
１２   外箱
１３   内箱
１４   断熱材
１５   断熱扉
１６   断熱扉
１７   冷凍室
１８   冷蔵室
１９   断熱仕切壁
２０   コントロールボックス
２１   ボリュームつまみ
２２   開閉検知装置
２３   温度センサ
２４   スリット
２５   開口
２６   主面部
２７   側面部
２８   側面部
２９   発光素子
３０   箱体部材
３１   レール
３２   透光部
３３   溝部
３４   回路基板
３４Ａ 第１側辺
３４Ｂ 第２側辺
３４Ｃ 第３側辺
３４Ｄ 第４側辺
３４Ｅ 第１主面
３４Ｆ 第２主面
３５   回路基板
３５Ａ 第１側辺
３５Ｂ 第２側辺
３５Ｃ 第３側辺
３５Ｄ 第４側辺
３５Ｅ 第１主面
３５Ｆ 第２主面
３６   切欠部
３７   電子部品
３８   接続端子
４０   基板固定構造
４１   切欠当接部
４２   挟持部
４３   第１挟持部位
４４   第２挟持部位
４５   板状部
４６   前方リブ
４７   後方リブ
４８   基部
４９   挟持部
５０   基板固定構造
５１   挿入部
５２   挟持部
５３   基部
５４   挟持部位
５５   支持部
５６   当接部
５７   延伸部
５８   支持部
６０   収納容器
６１   収納容器
６２   切欠部
６３   延伸部
６４   当接部
【図１】
2019027633.tif 000003
【図２】
2019027633.tif 000004
【図３】
2019027633.tif 000005
【図４】
2019027633.tif 000006
【図５】
2019027633.tif 000007
【図６】
2019027633.tif 000008
【図７】
2019027633.tif 000009
【図８】
2019027633.tif 000010